(57)【要約】      （修正有） 【課題】ヒータ面が露出せず安全性が向上する掘ごたつ用ヒータの収容構造を提供することを目的とする。【解決手段】不織布６０ａが、均熱板６０ｂのコードヒータ６０ｃが組み込まれていない面（下面）を全域を覆うとともに、均熱板６０ｂの他方の面の一部領域Ｔ１まで外周端部Ｔを含んで覆われる。Ｔ１は２５ｍｍ幅で均熱板６０ｂの外周端部Ｔを全域覆っている。【選択図】図３−１
2005207629.tif 000002
【特許請求の範囲】
【請求項１】
上方が開口し底面とこの底面の外周端から立ち上がる内側面とからなる掘ごたつ本体に前記内側面に沿って側面ヒータを収容するとともに掘ごたつ本体の上部に座卓が設置されてなる掘ごたつであって、前記座卓に断熱性と耐摩擦性を有する被覆材で覆われた天面ヒータが配設されることを特徴とする掘ごたつ用ヒータの収容構造。
【請求項２】
請求項１に記載の掘ごたつ用ヒータの収容構造であって、前記天面ヒータの表面部及び外周端部が前記被覆材を折り返すことで覆われていることを特徴とする掘ごたつ用ヒータの収容構造。
【請求項３】
請求項１又は請求項２に記載の掘ごたつ用ヒータの収容構造であって、前記天面ヒータの被覆材として不織布が用いられていることを特徴とする掘ごたつ用ヒータの収容構造。
【請求項４】
請求項１乃至請求項３のいずれか1項に記載の掘ごたつ用ヒータの収容構造であって、前記側面ヒータが、内側面に沿って配設される可撓性の面状ヒータと、この面状ヒータの表面側を覆う化粧板と、前記面状ヒータと前記内側面との間に配設されて面状ヒータと内側面との間を断熱する断熱材とで形成され、前記側面ヒータの端部とその端部が隣接する他の側面ヒータの端部とからなる側面ヒータの角部に角部目隠帯が設置されることを特徴とする掘ごたつ用ヒータの収容構造。
【発明の詳細な説明】
【技術分野】
【０００１】
本発明は、掘ごたつ用ヒータの収容構造に関する。
【背景技術】
【０００２】
上方に開口した箱型の掘ごたつ本体の底面及びこの底面の外周端から立ち上がる内側面に面状ヒータを沿設した掘ごたつが「特許文献１」に開示されている。この掘ごたつでは、カーペット状の面状ヒータを、底面、内側面に設けることにより、掘ごたつ本体の内部スペースが内側面全面から均等に効果的に暖められるようになっている。
【０００３】
ところが、市場における商品価値を高めるために、カーペット状の面状ヒータの替わりに面状ヒータを底面、内側面に配置し、その表面を化粧板で覆う掘ごたつが求められている。
【０００４】
「特許文献２」では、ヒータ部の表面に繊維状の処理層を設けた発熱板の構成が開示されている。
【特許文献１】特開平８−４２８５２号公報
【特許文献２】特開平８−６８５４０号公報
【発明の開示】
【発明が解決しようとする課題】
【０００５】
ところが、従来の、座卓の天面ヒータに放熱性や均熱性を持たせるために発熱板（金属）が用いられる構造では、ヒータからの熱を防止するために表面が繊維状の植毛で覆われる構成が用いられている。この場合、予め鋼板に植毛処理をした後に所望の形状やサイズに加工されるため、加工端面が摩擦により容易に剥がれて金属が露出するという問題があった。また、使用時に植毛が剥がれてくるという問題があった。
【０００６】
さらに、繊維状の植毛では充分な断熱性が得られないので、ヒータ表面に手足が触れたときに温度が高く感じることがあった。また、植毛処理は特殊用途であるため高価なものであった。
【０００７】
そこで、本発明は、天面ヒータの表面の被覆材の耐摩擦性を向上させることにより表面剥がれが防止できるため商品価値が高まることを目的とする、
また、ヒータ面が露出せず安全性が向上する天面ヒータの収容構造を安価で提供することを目的とする。
【課題を解決するための手段】
【０００８】
請求項１の発明は、上方が開口し底面とこの底面の外周端から立ち上がる内側面とからなる掘ごたつ本体に前記内側面に沿って側面ヒータを収容するとともに掘ごたつ本体の上部に座卓が設置されてなる掘ごたつであって、前記座卓に断熱性と耐摩擦性を有する被覆材で覆われた天面ヒータが配設されることを特徴としている。これにより、天面ヒータの表面剥がれが防止できる。
【０００９】
請求項２の発明は、請求項１に記載の掘ごたつ用ヒータの収容構造であって、前記天面ヒータの表面部及び外周端部が前記被覆材を折り返すことで覆われていることを特徴としている。これにより、天面ヒータの表面剥がれが防止できる。
【００１０】
請求項３の発明は、請求項１又は請求項２に記載の掘ごたつ用ヒータの収容構造であって、前記天面ヒータの被覆材として不織布が用いられていることを特徴としている。これにより、天面ヒータの表面剥がれが防止できる。
【００１１】
請求項４の発明は、請求項１乃至請求項３のいずれか1項に記載の掘ごたつ用ヒータの収容構造であって、前記側面ヒータが、内側面に沿って配設される可撓性の面状ヒータと、この面状ヒータの表面側を覆う化粧板と、前記面状ヒータと前記内側面との間に配設されて面状ヒータと内側面との間を断熱する断熱材とで形成され、前記側面ヒータの端部とその端部が隣接する他の側面ヒータの端部とからなる側面ヒータの角部に角部目隠帯が設置されることを特徴としている。これにより、見栄えが良くなり商品価値が高まる。
【発明の効果】
【００１２】
請求項１の発明によれば、掘ごたつ本体の上部に座卓が設置されてなる掘ごたつの前記座卓に配設される天面ヒータの収容構造であって、前記天面ヒータが断熱性と耐摩擦性を有する被覆材で覆われることを特徴としている。このため、表面剥がれが防止できるので、掘りごたつの商品価値を向上させることができる。また、ヒータ面が露出せず安全性が向上する。
【００１３】
請求項２の発明は、前記天面ヒータの表面部及び外周端部が前記被覆材で覆われていることを特徴としている。このため、ヒータ面が露出しないので安全性が向上する。
【００１４】
請求項３の発明は、前記天面ヒータの被覆材として不織布が用いられていることを特徴としている。このため、天面ヒータの表面剥がれが防止できるのでヒータ面が露出せず安全であり、かつ、安価である。
【００１５】
請求項４の発明は、前記側面ヒータが、内側面に沿って配設される可撓性の面状ヒータと、この面状ヒータの表面側を覆う化粧板と、前記面状ヒータと前記内側面との間に配設されて面状ヒータと内側面との間を断熱する断熱材とで形成され、前記側面ヒータの端部とその端部が隣接する他の側面ヒータの端部とからなる側面ヒータの角部に角部目隠帯が設置されることを特徴としている。これにより、掘りごたつ全体の見栄えが良くなり商品価値が向上する。
【発明を実施するための最良の形態】
【００１６】
＜掘ごたつ用ヒータの収容構造の構成＞
以下に、本発明の実施形態を図１、図２に基づいて説明する。
【００１７】
まず、本実施形態の掘ごたつ１は、図１に示すように、掘ごたつ本体２と掘ごたつ本体２の上部に設けられるやぐら部分としての座卓６とで構成される。
【００１８】
掘ごたつ本体２は、上方が開口し底面３とこの底面３の外周端３ａから立ち上がる内側面７（７ａ、７ｂ、７ｃ、７ｄ）とからなり、前記内側面７に沿って側面ヒータ５が収容されている。掘りごたつ本体２の開口部８の縁部には、矩形状の框２７が床面９と面一となるように設けられており、この框２７の四隅の上に４本の脚体２８とこれらの脚体２８上に天面フレーム２９が架設固定されて座卓６が形成される。
【００１９】
掘ごたつ本体２の上部の前記座卓６の天面フレーム２９に天面ヒータ６０が配設され、この天面ヒータ６０が断熱性と耐摩擦性を持つ被覆材としての不織布６０ａで覆われている。
【００２０】
このように、堀ごたつ１は、堀ごたつ本体２に側面ヒータ５（4面）と底面ヒータ４が配置され、座卓６に天面ヒータ６０が配置されるので、堀ごたつ１内の内部空間を合計６面で暖房している。なお、場合によれば、堀ごたつ１の熱効率を上げるために、座卓６を図示しない布団で覆って、堀ごたつ１内の熱ができるだけ外部に逃げないようにすることもできる。そのとき、布団の上に図示しない化粧テーブルが置かれることもある。
【００２１】
「天面ヒータ６０の説明」  
図２に示すように、天面ヒータ６０は、天面ヒータ本体６０ｄと、断熱板６０ｅと化粧合板６０ｆとで構成される。そして、不織布６０ａと均熱板６０ｂとコードヒータ６０ｃからなる天面ヒータ本体６０ｄが座卓６の天面フレーム２９の下部に、断熱板６０ｅと化粧合板６０ｆが天面フレーム２９の上部にそれぞれビス止めされる。
【００２２】
ここで、天面ヒータ本体６０ｄ、断熱板６０ｅ、化粧合板６０ｆのそれぞれの平面形状は、略矩形で４角が切欠かれた形状である。４角の切欠は、脚体２８を立設或いは取外すための操作用空間部Ｓである。なお、天面フレーム２９上の断熱板６０ｅ及び化粧合板６０ｆにも操作用空間部Ｓが４角に設けられるのは、脚体２８の取り扱い操作が上面からも容易にできるためである。
【００２３】
図３（ａ）、（ｂ）、（ｃ）、（ｄ）、（ｅ）を用いて、天面ヒータ本体６０ｄの構造を説明する。
【００２４】
図３（ａ）に示すように、均熱板６０ｂの大きさは、Ｍ１ｘＭ２＝７２０ｍｍｘ１０１３ｍｍ、厚さ０．４ｍｍの亜鉛メッキ鋼板で、操作用空間部ＳはＭ３ｘＭ４＝１４３ｘ１４３ｍｍである。均熱板６０ｂには外周端部Ｔ近傍と均熱板６０ｂの内側域に合計３０個の取り付け穴Ｐ（０．８ｍｍ直径）が配設されている。このような構造の均熱板６０ｂの上面にコードヒータ６０ｃが図示しない方法で組み込まれている。コードヒータ６０ｃは、例えばアルミ箔コードヒータが用いられる。なお、取り付け穴Ｐはコードヒータ６０ｃに干渉しない位置で、天面フレーム２９に当接する位置が選ばれる。
【００２５】
図３（ｂ）に示すように、不織布６０ａが、均熱板６０ｂのコードヒータ６０ｃが組み込まれていない面（下面）を全域を覆うとともに、均熱板６０ｂの他方の面の一部領域Ｔ１まで外周端部Ｔを含んで覆われる。ここで、Ｔ１は２５ｍｍ幅で均熱板６０ｂの外周端部Ｔを全域覆っているが、操作用空間部Ｓの内角の外周端部Ｓ２のみは、1枚の不織布６０ａでは幾何学的にＴ＝２５ｍｍで覆うことができず、また、外周端部Ｓ２における均熱板６０ｂの板厚方向に僅かであるが微細隙間が生じるが、機能的に問題でない。
【００２６】
不織布６０ａは、様々な構成のものがあり、例えば、ポリエステル（目付１８０ｇ／m2、厚さ１ｍｍ）で片面アクリル系粘着加工されたものが用いられるので容易に均熱板６０ｂに粘着できる。この構成の不織布６０ａは、耐熱性と耐磨耗性を兼ね添えており、色はチャコールグレー等好みの色を選ぶことができる。
【００２７】
図３（ｃ）に示すように、均熱板６０ｂの操作用空間部Ｓの両端部Ｓ１には面取Ｓ３がされているので、脚体２８の取り扱い操作時に怪我をすることがなく安全に操作できる。また、図３（ｄ）に示すように、均熱板６０ｂの面取Ｓ３が成されたところは不織布６０ａが突き合わさるように覆って面取Ｓ３部に隙間が生じないように取付けられる。なお、取り付け穴Ｐは不織布６０ａにも加工されるのが好ましいが、仮に取り付け穴Ｐが不織布６０ａに加工されてなくても、ビスは容易に不織布６０ａを貫通することができる。
【００２８】
図３（ｅ）には、図３（ｂ）で説明したように、不織布６０ａが、均熱板６０ｂのコードヒータ６０ｃが組み込まれていない面（下面）を全域を覆うとともに、均熱板６０ｂの他方の表面の一部領域Ｔ１まで外周端部Ｔを覆う構成の詳細が示されている。
【００２９】
「側面ヒータと底面ヒータの説明」
図４に示すように、掘ごたつ本体２は、矩形状の底面３と、この底面３の外周端３ａから立ち上がる４つの内側面７ａ、７ｂ、７ｃ、７ｄが合板等の板材からなる箱型形状に形成され、上部が上方に向けて開口した開口部８となっている。掘ごたつ本体２の開口部８の縁部外周部分８ａが床面９にアングル部材１０によって固定されている。このアングル部材１０は、断面Ｌ字状で開口部８を囲むように４周に亘り設けられ、床面９と面一になるように床面９に取付けられている。
【００３０】
掘ごたつ本体２の内側面７（７ａ、７ｂ、７ｃ、７ｄ）には側面ヒータ５が配設されており、この側面ヒータ５は、可撓性の面状ヒータ２１と、この面状ヒータ２１の表面側を覆う化粧板２２と、面状ヒータ２１と内側面７ａ、７ｂ、７ｃ、７ｄとの間に配設されて面状ヒータ２１と内側面７ａ、７ｂ、７ｃ、７ｄとの間を断熱する断熱材２３とで構成されている。そして、化粧板２２の上下端部は補強材２４で補強されている。  
なお、側面ヒータ５を掘ごたつ本体２に収容した状態で断熱材２３が面状ヒータ２１を化粧板２２側へ押圧するようになっている。そして、前記側面ヒータ５の端部５ａとその端部５ａが隣接する他の側面ヒータ５の端部５ａとからなる側面ヒータ５の角部５ｂには、隣接するそれぞれの前記化粧板２２の端部２２ａに対して角部目隠帯５０が設けられている。
【００３１】
掘ごたつ本体２の底面３には底面ヒータ４が配設され、矩形状の底面板１１と、この底面板１１の裏面側に設けられる底面ヒータブロック１３とで構成されている。底面板１１の裏面側の４周外端部には底面板枠部１２が設けられ、底面板１１に充分な強度を持たせるとともに、この底面板枠部１２で囲まれる内部に底面ヒータブロック１３が内蔵されている。底面ヒータブロック１３は面状ヒータ１４が図示しない均熱用アルミ箔と共にウレタン発泡で一体成型されて形成されている。この底面ヒータブロック１３が底面板１１の裏面側に内蔵された状態では、絶縁均熱シート紙で底面板１１の裏面が覆われている。また、底面板１１の表面側には、外周部分全域に凹溝１５が設けられている。この凹溝１５には、４つの内側面７ａ、７ｂ、７ｃ、７ｄに沿って配置された側面ヒータ５の化粧板２２の下端部が嵌合される。
【００３２】
図５に示すように、側面ヒータ５は、掘ごたつ本体２の対向する角部２５と角部２６を挟んで２組配置されている。一方の側面ヒータ５は角部２５を挟む第１側壁１６と第２側壁１７に連続して（なお、化粧板２２は角部２５で不連続である）Ｌ字状に形成され、他方の側面ヒータ５は角部２６を挟む第３側壁１８と第４側壁１９とに連続して（なお、化粧板２２は角部２６で不連続である）Ｌ字状に形成されている。ここで、他方の側面ヒータ５は第４側壁１９にコントローラ２０が設置される箇所が異なるだけで、それ以外は一方の側面ヒータ５の構成と全く同じである。
【００３３】
図６に示すように、化粧板２２の端部２２ａの近傍には端部２２ａの補強を兼ねてフレーム４３が取付けられており、面状ヒータ２１が折り曲げによってダメージを受けないように、折り曲げ半径Ｋ及びＴが出来るだけ大きくなるように、角部２５のスペースを考慮しながら適宜決定されている。角部目隠帯５０は、断面がＨ型形状であり、隣接するそれぞれの前記化粧板２２の端部２２ａに対して、（側面ヒータ５の表面側としての）化粧板２２の表面側２２ｂから覆う表面カバー部５１と、（側面ヒータ５の裏面側としての）化粧板の裏面側２２ｃから覆う裏面カバー部５２とからなり前記表面カバー部５１と前記裏面カバー部５２が連結部５３で連結される。
【００３４】
尚、図６では、角部２５に関しての説明をしたが、角部２６に関しても同様の構成である。さらに、角部目隠帯５０は角部２５，２６以外の角部に関しても同様に取付けられる。
【００３５】
図７に示すように、面状ヒータ２１は、Ｌ字状に屈曲された支持面３３、３４を有し断熱材２３に接着される支持体３５と、支持面３３、３４上に配索されたヒータ線３６とで形成されている。一方の面状ヒータ２１の支持面３３は、掘ごたつ本体２の第１側壁１６の内側面７ａに対応し、支持面３４は第２側壁１７の内側面７ｂにそれぞれ対応している。ヒータ線３６は、支持面３３の上部に配索されて、角部２５に対応する支持面３３、３４の連続部分を通り、支持面３４まで配索され、さらに、支持面３４で折り返されて、再び角部２５に対応する屈曲部分を通って支持面３３の下部側まで連続して配索されている。
【００３６】
第３側壁１８の内側面７ｃ、第４側壁１９の内側面７ｄに対応する他方の面状ヒータ２１も同様に角部２６に対応する支持面３３、３４に連続して形成されている。異なるのは、第３側壁１８、第４側壁１９に対応する面状ヒータ２１には、コントロールパネル３８が設置されるので、その部分の構成のみ異なる。このように、掘ごたつの角部２５、２６においても面状ヒータ２１が配置されているので角部２５、２６における熱効率があがる。さらにまた、２辺の取付け作業が同時にできるので作業工程が軽減できる。
【００３７】
このように、本実施形態の掘ごたつ１では、掘ごたつ本体２内に２つの側面ヒータ５と底面ヒータ４が収容され、それぞれのヒータのヒータ線３６、３６、３７の電線（電源）はコントロールパネル３８に取付けられている。主電源は図示しない場所からコントロールパネル３８に供給される。
【００３８】
なお、現場での作業工程を容易にするために、面状ヒータ２１と断熱材２３は予めプレハブ一体化されている。化粧板２２は、例えばＭＤＦで形成され、面状ヒータ２１はＰＥＴを支持体とするフレキシブルな面状発熱体（コード状ヒータをアルミ箔等で面状にした構成も含む）で形成され、断熱材２３はＰＥＴ繊維やポリエステル繊維さらにポリウレタン繊維等で形成される。断熱材２３は弾性を有しているので組み付けた状態では、（圧縮）弾性変形し、面状ヒータ２１を化粧板２２側へ押圧して、面状ヒータ２１と化粧板２２間は空気層が排除された状態で密着することになる。このため、面状ヒータ２１から化粧板２２に伝播する熱が遮断されてしまうことがなく熱効率が上がる。
【００３９】
また、面状ヒータ２１と断熱材２３は、面状ヒータ２１の裏面（ヒータの突出側）が断熱材２３に接するように例えばウレタン系接着剤等で貼着されている。
【００４０】
＜掘ごたつ用天面ヒータの収容構造の作用＞
本実施形態によれば、天面ヒータ本体６０ｄは、不織布６０ａが、均熱板６０ｂのコードヒータ６０ｃが組み込まれていない面（下面）を全域を覆うとともに、均熱板６０ｂの他方の表面の外周端部Ｔから一部領域Ｔ１まで覆って構成される。
【００４１】
これにより、天面ヒータの表面および端部の耐摩擦性を向上させることができるので、使用時にひざが擦れたりしても表面剥がれが生じず、見栄えが良くなり掘りごたつの商品価値を向上させることができる。
【００４２】
また、見栄えを良くする為の特別なカバー部材を必要とせず、安価な不織布６０ａを使用するので、コストがさがる。
【００４３】
不織布６０ａは、上述したように、例えば、ポリエステル（目付１８０ｇ／m2、厚さ１ｍｍ、片面アクリル系粘着加工）が用いられる。実験した結果によると、均熱板６０ｂのコードヒータ６０ｃが組み込まれていない面に小指を６０秒間接触した後の小指の温度を計測したところ、植毛鋼板では４０℃であったが、本実施形態の不織布６０ａでは３６℃であった。これにより、不織布６０ａによれば手足が触れても高温と感じるおそれがなくなり安全性が向上できる。
【００４４】
さらに、掘ごたつ本体の隣接する化粧板２２の端部２２ａに対して角部目隠帯５０を差し込むことで隙間が覆われるので見栄えがよくなり、天面ヒータ６０の不織布６０ａが容易に剥がれず見栄えがよくなるので、堀ごたつ全体の商品価値が向上する。
【００４５】
化粧板２２の隙間に挟まれるおそれがなくなるとともに、天面ヒータ６０の不織布６０ａが容易に剥がれないのでヒータ面の露出のおそれがなくなり、堀ごたつ全体の安全性が向上する。化粧板２２の隙間がなくなるので、隙間から熱が逃げなくなり熱効率が上がるため堀ごたつ全体の商品価値が向上する。
【００４６】
以上、本発明の実施形態を図面に基づいて説明したが、上記の実施例はいずれも本発明の一例を示したものであり、本発明はこれらに限定されるべきでないということはいうまでもない。
【図面の簡単な説明】
【００４７】
【図１】本発明の実施形態による掘ごたつの構成断面図である。
【図２】本発明の実施形態による掘ごたつの分解斜視図である。
【図３−１】本発明の実施形態による天面ヒータの、（ａ）は、コードヒータ付き均熱板の平面図、（ｂ）は、天面ヒータ本体の平面図である。
【図３−２】本発明の実施形態による天面ヒータの、（ｃ）は“Ａ”部詳細図、（ｄ）は、“Ｂ”部詳細図、（ｅ）は、C-C断面図である。
【図４】本発明の実施形態による掘ごたつ本体の正面断面図である。
【図５】図４のＡ−Ａ断面図である。
【図６】本発明の実施形態による掘ごたつ本体の角部平面断面図である。
【図７】本発明の実施形態による面状ヒータを示す斜視図である。
【符号の説明】
【００４８】
１  掘ごたつ
２  掘ごたつ本体
３  底面
３ａ  外周端
４  底面ヒータ
５  側面ヒータ
５ａ  端部
５ｂ  角部
６  座卓
７（７ａ、７ｂ、７ｃ、７ｄ）  内側面
８  開口部
２１  面状ヒータ
２２  化粧板
２２ａ  端部
２２ｂ  表面側
２２ｃ  裏面側
２３  断熱材
２９  天面フレーム
６０ａ 不織布
６０ｂ 均熱板
６０ｃ コードヒータ
Ｔ 外周端部
Ｔ１ 領域
【図１】
2005207629.tif 000003
【図２】
2005207629.tif 000004
【図３−１】
2005207629.tif 000005
【図３−２】
2005207629.tif 000006
【図４】
2005207629.tif 000007
【図５】
2005207629.tif 000008
【図６】
2005207629.tif 000009
【図７】
2005207629.tif 000010